(57)【要約】【課題】  オートクレーブ滅菌の際に、リモートスイッチなどのスイッチ手段の劣化を防止可能な医療機器操作用装置を提供する。【解決手段】  内視鏡撮像装置１４は、任意の機能を選択的に割り付けて切替可能な光スイッチ８２と、この光スイッチ８２を気密に収納可能な気密ユニット４６と、この気密ユニット４６の外部に設けられ、操作者に操作されるスイッチ操作部５２と、この操作部５２の操作に応じて、磁力を気密ユニット４６の外部から内部に伝達可能な磁石１０４ａ，１０４ｂとを備えている。そして、光スイッチ８２は、磁石１０４ａ，１０４ｂの磁力を利用してＯＮ／ＯＦＦが切り替えられる。【選択図】    図２
2006320481.tif 000002
【特許請求の範囲】
【請求項１】
任意の機能を選択的に割り付けて切替可能なスイッチ手段と、
前記スイッチ手段を気密に収納可能な気密ユニットと、
前記気密ユニットの外部に設けられ、操作者に操作される操作部材と、
前記操作部材に応じて、磁力を前記気密ユニットの外部から内部に伝達可能な磁力伝達手段と
を具備し、
前記スイッチ手段は、前記磁力伝達手段の磁力を利用してＯＮ／ＯＦＦが切り替えられることを特徴とする医療機器操作用装置。
【請求項２】
前記スイッチ手段は、磁力の影響を受けると切り替えられる磁気スイッチであることを特徴とする請求項１に記載の医療機器操作用装置。
【請求項３】
前記スイッチ手段は、光を発光する発光部とこの発光部からの光を受光する受光部とを有する光スイッチと、磁力によって動作され、前記発光部と受光部との間の光を遮光可能なスイッチ切替手段とを備えていることを特徴とする請求項１に記載の医療機器操作用装置。
【請求項４】
前記操作部材は、前記気密ユニットの外部に設けられた外装に備えられ、前記気密ユニットの中心軸に対して直交する軸回りに回転可能に設けられた回転部材を備え、
前記磁力伝達手段は、前記回転部材の中心軸に対して偏心した位置に設けられた第１の磁力部材を備えていることを特徴とする請求項１ないし請求項３のいずれか１に記載の医療機器操作用装置。
【請求項５】
前記操作部材は、前記気密ユニットの外部に設けられた外装に備えられ、前記気密ユニットの中心軸に対して平行移動可能に設けられていることを特徴とする請求項１ないし請求項３のいずれか１に記載の医療機器操作用装置。
【請求項６】
内部が気密に保持された気密ユニットと、
この気密ユニットの外部に配設された操作部材と、
前記気密ユニットの外部で前記操作部材に配設された第１の磁力部材と、
前記気密ユニットの内部に配設され、任意の機能を選択的に割り付けて切替可能なスイッチ手段と、
前記気密ユニットの内部に配設されて前記第１の磁力部材と磁力を及ぼし合い、前記操作部材の操作によって移動する第２の磁力部材と
を具備し、
前記スイッチ手段は、前記第１および第２の磁力部材の間に働く磁力を利用してＯＮ／ＯＦＦが切り替えられることを特徴とする医療機器操作用装置。
【請求項７】
前記スイッチ手段は、磁力の影響を受けると切り替えられる磁気スイッチであることを特徴とする請求項６に記載の医療機器操作用装置。
【請求項８】
前記スイッチ手段は、光を発光する発光部とこの発光部からの光を受光する受光部とを有する光スイッチと、磁力によって動作され、前記発光部と受光部との間の光を遮光可能なスイッチ切替手段とを備えていることを特徴とする請求項６に記載の医療機器操作用装置。
【請求項９】
前記操作部材は、前記気密ユニットの外部に設けられた外装に備えられ、前記気密ユニットの中心軸に対して直交する軸回りに回転可能に設けられた回転部材を備え、
前記第１の磁力部材は、前記回転部材の中心軸を中心としてその軸回りに回転可能に偏心した位置に設けられていることを特徴とする請求項６ないし請求項８のいずれか１に記載の医療機器操作用装置。
【請求項１０】
前記操作部材は、前記気密ユニットの外部に設けられた外装に備えられ、前記気密ユニットの中心軸に対して平行移動可能に設けられていることを特徴とする請求項６ないし請求項８のいずれか１に記載の医療機器操作用装置。
【発明の詳細な説明】
【技術分野】
【０００１】
本発明は、例えば内視鏡撮像装置などとして使用される医療機器操作用装置に関する。
【背景技術】
【０００２】
内視鏡撮像装置は、細長の挿入部を体腔内に挿入し、体腔内の観察／処置が可能な内視鏡の接眼部に着脱自在に取り付けて内視鏡像を撮影するのに用いられている。この内視鏡装置には、内視鏡像の明るさ調整やフリーズ、内視鏡の焦点調整などの機能を有するリモートスイッチが配設されていることが一般的である。
【０００３】
ところで、近年、内視鏡用撮像装置の滅菌方法として、高温高圧水蒸気によるオートクレーブ滅菌が普及しつつある。
【０００４】
例えば特許文献１には、リモートスイッチを有し、オートクレーブ滅菌可能な内視鏡の一例が開示されている。この内視鏡は、オートクレーブ滅菌を行なっても内視鏡の内部に蒸気が浸入することがない気密ユニット内の光学レンズを、気密ユニットの外側にあるリモートスイッチを操作することで移動させて焦点調整を行なっている。
【特許文献１】特開２０００−１３９８１９号公報
【発明の開示】
【発明が解決しようとする課題】
【０００５】
しかしながら、電気接点を有するリモートスイッチのスイッチが気密ユニットの外側に配設されていると、スイッチの電気接点部が蒸気にさらされて部品の劣化や腐食を生じ、スイッチが動作し難くなったり、動作をし難くなるおそれがある。このため、比較的早い時期に部品交換や修理を行なうことが必要である。
【０００６】
本発明は、このような事情に鑑みてなされたものであり、その目的とするところは、オートクレーブ滅菌の際に、リモートスイッチなどのスイッチ手段の劣化を防止可能な医療機器操作用装置を提供することにある。
【課題を解決するための手段】
【０００７】
上記課題を解決するために、この発明に係る医療機器操作用装置は、任意の機能を選択的に割り付けて切替可能なスイッチ手段と、前記スイッチ手段を気密に収納可能な気密ユニットと、前記気密ユニットの外部に設けられ、操作者に操作される操作部材と、前記操作部材に応じて、磁力を前記気密ユニットの外部から内部に伝達可能な磁力伝達手段とを備えている。そして、前記スイッチ手段は、前記磁力伝達手段の磁力を利用してＯＮ／ＯＦＦが切り替えられることを特徴とする。
【０００８】
ここでは、スイッチ手段は、気密ユニットの内部に配設されている。また、このスイッチ手段は、磁力を利用して切り替えることができる。このため、オートクレーブ滅菌の際に、蒸気などが気密ユニットの内部に浸入して劣化させることが防止される。
【０００９】
前記スイッチ手段は、磁力の影響を受けると切り替えられる磁気スイッチであることが好適である。
【００１０】
このため、磁力の影響により、スイッチを容易に切り替えることができる。
【００１１】
前記スイッチ手段は、光を発光する発光部とこの発光部からの光を受光する受光部とを有する光スイッチと、磁力によって動作され、前記発光部と受光部との間の光を遮光可能なスイッチ切替手段とを備えていることが好適である。
【００１２】
このため、発光部からの光を受光部で受光させる状態と、遮光させる状態とを切り替えることによって、容易にスイッチを作動させることが可能である。
【００１３】
前記操作部材は、前記気密ユニットの外部に設けられた外装に備えられ、前記気密ユニットの中心軸に対して直交する軸回りに回転可能に設けられた回転部材を備え、前記磁力伝達手段は、前記回転部材の中心軸に対して偏心した位置に設けられた第１の磁力部材を備えていることが好適である。
【００１４】
このため、回転部材を回転させることによって第１の磁力部材を回転部材の回りに移動させることができ、磁力を及ぼす影響を変化させることができる。
【００１５】
また、前記操作部材は、前記気密ユニットの外部に設けられた外装に備えられ、前記気密ユニットの中心軸に対して平行移動可能に設けられていることが好適である。
【００１６】
このため、操作部材を外装に沿って気密ユニットの中心軸に沿って移動させることによって磁力を及ぼす領域を変化させることができる。
【００１７】
また、上記課題を解決するために、この発明に係る医療機器操作用装置は、内部が気密に保持された気密ユニットと、この気密ユニットの外部に配設された操作部材と、前記気密ユニットの外部で前記操作部材に配設された第１の磁力部材と、前記気密ユニットの内部に配設され、任意の機能を選択的に割り付けて切替可能なスイッチ手段と、前記気密ユニットの内部に配設されて前記第１の磁力部材と磁力を及ぼし合い、前記操作部材の操作によって移動する第２の磁力部材とを備えている。そして、前記スイッチ手段は、前記第１および第２の磁力部材の間に働く磁力を利用してＯＮ／ＯＦＦが切り替えられることを特徴とする。
【００１８】
ここでは、スイッチ手段は、気密ユニットの内部に配設されている。また、このスイッチ手段は、操作部材を操作することによって、第１および第２の磁力部材の間に磁力を及ぼしたり、及ぼす力を弱めたりして切り替えることができる。このため、オートクレーブ滅菌の際に、蒸気などが気密ユニットの内部に浸入して劣化させることが防止される。
【００１９】
前記操作部材は、前記気密ユニットの外部に設けられた外装に備えられ、前記気密ユニットの中心軸に対して直交する軸回りに回転可能に設けられた回転部材を備え、前記第１の磁力部材は、前記回転部材の中心軸を中心としてその軸回りに回転可能に偏心した位置に設けられていることが好適である。
【００２０】
このため、回転部材を回転させることによって第１の磁力部材を回転部材の回りに移動させることができ、第２の磁力部材の位置を変化させてスイッチ手段を切り替えることができる。
【００２１】
また、前記操作部材は、前記気密ユニットの外部に設けられた外装に備えられ、前記気密ユニットの中心軸に対して平行移動可能に設けられていることが好適である。
【００２２】
このため、操作部材を外装に沿って気密ユニットの中心軸に沿って移動させることによって第１の磁力部材と第２の磁力部材との位置を変化させ、スイッチ手段を切り替えることができる。
【発明の効果】
【００２３】
本発明によれば、オートクレーブ滅菌の際に、リモートスイッチなどのスイッチ手段の劣化を防止可能な医療機器操作用装置を提供することができる。
【発明を実施するための最良の形態】
【００２４】
以下、図面を参照しながらこの発明を実施するための最良の形態（以下、実施の形態という）について説明する。
【００２５】
第１の実施の形態について図１ないし図３を用いて説明する。
【００２６】
図１に示すように、この実施の形態に係る内視鏡装置１０は、内視鏡１２と、内視鏡撮像装置（医療機器操作用装置）１４と、光源装置１６と、ビデオプロセッサ１８と、モニタ２０とを備えている。
【００２７】
内視鏡１２は、体腔内に挿入されて使用される。内視鏡撮像装置１４は、内視鏡１２に着脱自在に装着される。光源装置１６は、内視鏡１２に着脱自在に装着されて内視鏡１２に照明光を供給する。ビデオプロセッサ１８は、内視鏡撮像装置１４に着脱自在に接続され、内視鏡撮像装置１４からの信号処理を行なう。モニタ２０は、ビデオプロセッサ１８に着脱自在に接続され、ビデオプロセッサ１８から出力される映像信号を表示する。
【００２８】
内視鏡１２は、挿入部２４と、この挿入部２４の基端部に設けられた接眼部２６と、挿入部２４の基端部の側部に設けられた口金２８とを備えている。この口金２８にはライトガイドケーブル３０の一端が接続されている。このライトガイドケーブル３０の他端にはコネクタ３２が配設されている。このコネクタ３２は上述した光源装置１６に着脱自在に接続されている。
【００２９】
図１に示すように、内視鏡撮像装置１４からはカメラケーブル３４が延出されている。このカメラケーブル３４の端部には、プラグ３４ａが配設されている。上述したビデオプロセッサ１８には、レセプタクル１８ａが設けられている。このレセプタクル１８ａは、プラグ３４ａが着脱自在に形成されている。このため、内視鏡撮像装置１４とビデオプロセッサ１８とは、カメラケーブル３４を介して互いに対して着脱可能に電気的に接続されている。なお、ビデオプロセッサ１８とモニタ２０とは、ケーブル３６を介して電気的に接続されている。
【００３０】
内視鏡１２の挿入部２４の内部には、図示しないが、照明窓と、対物レンズと、ライトガイドと、リレー光学系と、接眼レンズとが配設されている。挿入部２４の先端部には、照明窓および対物レンズが配設されている。挿入部２４の基端部の接眼部２６には、接眼レンズが配設されている。
【００３１】
照明窓と、ライトガイドと、口金２８とは光学的に接続されている。口金２８には、ライトガイドケーブル３０が接続されているので、照明窓およびライトガイドは、上述したライトガイドケーブル３０と光学的に接続されている。このため、内視鏡装置１０は、ライトガイドケーブル３０のコネクタ３２を光源装置１６に接続することによって、光源装置１６内の図示しないランプによる白色光がライトガイドケーブル３０の端面に照射される。そうすると、ライトガイドケーブル３０、内視鏡１２の挿入部２４の内部のライトガイドを通して照明窓から観察対象物の照明光が出射される。したがって、被写体が照明される。
【００３２】
また、対物レンズ、リレー光学系および接眼レンズは、光学的に接続されている。このため、上述した照明光によって照明された被写体による光学像は、対物レンズに入射されて結像される。この対物レンズによって結像された被写体の光学像（以下、主に内視鏡像という）は、対物レンズからリレーレンズに入射され、このリレーレンズから接眼レンズに入射される。すなわち、挿入部２４の先端部側で結像された内視鏡像は、挿入部２４の基端部の接眼部２６の接眼レンズ側で術者に観察される。
【００３３】
ここでは、接眼部２６には、内視鏡撮像装置１４が接続されているので、内視鏡像は、内視鏡撮像装置１４によって撮像されて光電変換されて電気信号に変換される。内視鏡撮像装置１４で撮像された内視鏡像の電気信号は、図１に示すように、内視鏡撮像装置１４から延出されたカメラケーブル３４およびプラグ３４ａを介してビデオプロセッサ１８に伝送される。このビデオプロセッサ１８は、電気信号を映像信号に変換してその映像信号をモニタ２０に出力する。このため、モニタ２０には内視鏡像が表示される。
【００３４】
上述したように、内視鏡１２の接眼部２６には、内視鏡撮像装置１４が着脱自在に装着されている。以下、図２を用いて、内視鏡撮像装置（医療機器操作用装置）１４の具体的な構成について説明する。
【００３５】
図２に示すように、内視鏡撮像装置１４は、スコープマウント４２と、外装４４と、気密ユニット４６と、フォーカス操作部５０と、スイッチ操作部５２とを備えている。
【００３６】
スコープマウント４２の一端部は、図１に示す内視鏡１２の接眼部２６に対して着脱自在な形状に形成されている。このため、スコープマウント４２には、内視鏡装置１０の使用時に、内視鏡１２の接眼部２６が固定される。スコープマウント４２の他端部は円筒状に形成され、後述する雄ネジ部４４ａと螺合される雌ネジ部４２ａがその他端部の内周面に形成されている。
【００３７】
外装４４は、略円筒状に形成されている。この外装４４の先端部の外周面には、雄ネジ部４４ａが形成されている。この雄ネジ部４４ａは、スコープマウント４２の雌ネジ部４２ａと螺合される。このため、外装４４の先端部には、スコープマウント４２が取り付けられて一体化されている。
【００３８】
外装４４の内部には、気密ユニット４６が配設されている。また、外装４４には、フォーカス操作部５０と、スイッチ操作部５２とが配設されている。
【００３９】
気密ユニット４６は、気密ユニット本体６２と、カバーガラス６４と、ハーメチックコネクタ６６とを備えている。気密ユニット本体６２は、略円筒状に形成されている。この気密ユニット本体６２は一般的にステンレス鋼や、チタンなどを削ることにより作製されているが、電鋳により製作することによって小型・軽量化しても良い。
【００４０】
この気密ユニット本体６２の一端には、カバーガラス６４が図示しない半田などにより気密に接合されている。一方、気密ユニット本体６２の他端には、ハーメチックコネクタ６６が高周波半田やレーザー溶接などにより気密に接合されている。また、ハーメチックコネクタ６６のハーメチックコネクタ本体６６ｂと接続ピン６６ａとの間は、ガラス封止などの技術により絶縁がとられているとともに気密に接合されている。このため、気密ユニット４６は、気密ユニット本体６２の内部が気密状態に形成されている。
【００４１】
気密ユニット４６の内部には、レンズ枠７２と、光学系７４と、光スイッチ８２の枠を兼ねる固体撮像素子枠７６と、固体撮像素子７８と、信号伝達手段としての例えばフレキシブル基板８０と、リモートスイッチ（スイッチ手段）としての光スイッチ８２と、移動部材８４とが配設されている。すなわち、固体撮像素子枠７６と光スイッチ８２の枠とは、一体的に形成されている。
【００４２】
気密ユニット本体６２は、先端側の内径が、段差６２ａによって基端側の内径よりも小さく形成されている。レンズ枠７２は、気密ユニット本体６２の内部の先端側に配設されている。このレンズ枠７２の中心部には、光学系７４が固定されている。このため、光学系７４はカバーガラス６４の基端側に光学的に接続された状態に配設されている。このレンズ枠７２は、気密ユニット本体６２の内周に接した状態で、光学系７４の光軸方向に移動可能に設けられている。このため、この光学系７４には、図１に示す内視鏡１２の接眼部２６からの内視鏡像がカバーガラス６４を通して入射される。
【００４３】
このレンズ枠７２の外周面には、略リング状の凹部７２ａが形成されている。この凹部７２ａには、例えば複数個の第１の内部磁石９０ａが配設されている。
【００４４】
気密ユニット本体６２の段差６２ａよりも基端側には、スイッチ枠を兼ねる固体撮像素子枠７６が配設されている。この固体撮像素子枠７６の先端部の外周面には、径方向外方に突出した第１のフランジ部９２ａが形成されている。この固体撮像素子枠７６の基端部の外周面には、径方向外方に突出した第２のフランジ部９２ｂが形成されている。このため、第１および第２のフランジ部９２ａ，９２ｂの間は、円筒状（円環状）に凹部が形成されている。この固体撮像素子枠７６は、気密ユニット本体６２の段差６２ａに第１のフランジ部９２ａの先端が当接された状態で、固定部材７９によって気密ユニット本体６２の内周に固定されている。
【００４５】
この固体撮像素子枠７６の先端部の中心部には、固体撮像素子７８が配設されている。すなわち、固体撮像素子７８は、固体撮像素子枠７６によって保持されている。このため、固体撮像素子７８は、光学系７４の基端側に光学的に接続された状態に配設されている。したがって、この固体撮像素子７８には、図１に示す内視鏡１２の接眼部２６からの内視鏡像がカバーガラス６４および光学系７４を通して入射される。
【００４６】
固体撮像素子７８は、例えば電荷結合素子（ＣＣＤ）で構成され、光学系７４で伝送された内視鏡像を撮像する。固体撮像素子７８は、フレキシブル基板８０に電気的に接続されている。このフレキシブル基板８０には、ハーメチックコネクタ６６の接続ピン６６ａが電気的に接続されている。このため、固体撮像素子７８で光電変換された電気信号は、フレキシブル基板８０を介してハーメチックコネクタ６６の接続ピン６６ａに伝送される。したがって、固体撮像素子７８の信号は、カメラケーブル３４を通してビデオプロセッサ１８に伝送される。
【００４７】
固体撮像素子枠７６の外周の第１および第２のフランジ部９２ａ，９２ｂの間の凹部には、光スイッチ８２が配設されている。この光スイッチ８２は、例えば透過型フォトインタラプタで構成されている。この光スイッチ８２は、発光部８２ａと受光部８２ｂとを気密ユニット４６の軸方向に沿って対向した状態に備えている。このため、通常は発光部８２ａから発せられた光は受光部８２ｂにより受光される。この光スイッチ８２は、発光部８２ａから発せられた光が受光部８２ｂに受光されるか否かによって切り替えられる。
【００４８】
光スイッチ８２には、ケーブルをユニットとして配列して束ねた光スイッチ用ハーネス９４が接続されている。このため、受光部８２ｂで検出された信号は、受光部８２ｂからハーネス９４を通して出力される。なお、光スイッチ用ハーネス９４は、ハーメチックコネクタ６６の接点ピン６６ａに電気的に接続されている。このため、この光スイッチ８２の信号は、カメラケーブル３４を通してビデオプロセッサ１８に伝送される。
【００４９】
移動部材８４は、移動部材本体１０２と、複数の第２の内部磁石１０４ａと、遮光部（スイッチ切替手段）１０６とを備えている。移動部材本体１０２は、略円筒状に形成され、気密ユニット本体６２の内周面で、第１および第２のフランジ部９２ａ，９２ｂ間に配設されている。このため、移動部材本体１０２は、所定の範囲内で気密ユニット本体６２の軸回りに回転可能である。
【００５０】
この移動部材本体１０２の外周面には、凹部１０２ａが形成されている。この凹部１０２ａには、第２の内部磁石１０４ａが配設されている。遮光部１０６は、移動部材本体１０２の内周面に形成されている。この遮光部１０６は、上述した発光部８２ａおよび受光部８２ｂの間に入り込んで遮光する位置と、発光部８２ａから発光された光を受光部８２ｂで受光可能な位置に移動可能である。
【００５１】
外装４４には、第１および第２の円周孔４５ａ，４５ｂが形成されている。これら第１および第２の円周孔４５ａ，４５ｂは、それぞれ外装４４の外側と内側とを連通するように形成されている。第１の円周孔４５ａには、フォーカス操作部５０が配設されている。第２の円周孔４５ｂには、スイッチ操作部５２が配設されている。
【００５２】
フォーカス操作部５０は、フォーカスリング１１２と、移動部１１４と、例えばＯリングなどの第１の弾性部材１１６と、第１の外部磁石９０ｂとを備えている。
【００５３】
フォーカスリング１１２は、片側断面がともに略Ｔ字状に形成されている。すなわち、このフォーカスリング１１２は、リング部１１２ａと、このリング部１１２ａの外周に対して外装４４の軸方向に沿って突出されたフランジ部１１２ｂとを備えている。このため、このフォーカスリング１１２は、外装４４の第１の円周孔４５ａに対して回転可能に配設されている。
【００５４】
フォーカスリング１１２のフランジ部１１２ｂには、外装４４の外周面に近接する側に１対の凹部１１２ｃが形成されている。これら凹部１１２ｃには、第１の弾性部材１１６がそれぞれ配設されている。このため、第１の弾性部材１１６によって、フォーカスリング１１２と外装４４との間の防水性が確保されている。さらに、第１の弾性部材１１６とフォーカスリング１１２との間の摩擦、および、第１の弾性部材１１６と外装４４との間摩擦により、フォーカスリング１１２が不用意に回転することが防止されている。
【００５５】
このフォーカスリング１１２は、図示しない回転角度規制手段（例えばカムピンとカム溝による方法など）によって所定の範囲内にのみ回転可能で、ある一定の角度以上の回転が防止されている。一方、移動部１１４はリング状に形成されている。フォーカスリング１１２の内周面と、移動部１１４の外周面とは、互いに対してカム機構などによって、配設されている。このため、フォーカスリング１１２を回転させると、移動部１１４が気密ユニット本体６２の外周面でその軸方向に沿って移動する。
【００５６】
移動部１１４の内周面には、凹部１１４ａが形成されている。この凹部１１４ａには、気密ユニット本体６２の壁部を挟んだ状態で、上述した第１の内部磁石９０ａに対向する位置に第１の外部磁石９０ｂが配設されている。
【００５７】
この第１の外部磁石９０ｂは、上述した第１の内部磁石９０ａと磁気的に連結されている。このため、移動部１１４が移動すると、第１の外部磁石９０ｂと第１の内部磁石９０ａとの間の磁気的連結力によって、レンズ枠７２も光軸方向に移動する。したがって、フォーカスリング１１２を回転させると、光学系７４が移動してフォーカス調整が行なわれる。
【００５８】
スイッチ操作部５２は、操作リング１２２と、例えばＯリングなどの第２の弾性部材１２４とを備えている。
【００５９】
操作リング１２２は、片側断面がともに略Ｔ字状に形成されている。すなわち、この操作リング１２２は、リング部１２２ａと、このリング部１２２ａの外側の端部に対して外装４４の軸方向に沿って突出されたフランジ部１２２ｂとを備えている。このため、この操作リング１２２は、外装４４の第２の円周孔４５ｂに対して回転可能に配設されている。
【００６０】
操作リング１２２のフランジ部１２２ｂには、外装４４の外周面に近接する側に１対の凹部１２２ｃが形成されている。これら凹部１２２ｃには、第２の弾性部材１２４がそれぞれ配設されている。このため、第２の弾性部材１２４によって、操作リング１２２と外装４４との間の防水性が確保されている。さらに、第２の弾性部材１２４と操作リング１２２との間の摩擦、および、第２の弾性部材１２４と外装４４との間摩擦により、操作リング１２２が不用意に回転することが防止されている。
【００６１】
この操作リング１２２は、図示しない回転角度規制手段（例えばカムピンとカム溝による方法など）によって所定の範囲内にのみ回転可能で、ある一定の角度以上の回転が防止されている。
【００６２】
操作リング１２２の内周面には、凹部１２２ｄが形成されている。この凹部１２２ｄには、気密ユニット本体６２の壁部を挟んだ状態で、上述した第２の内部磁石１０４ａに対向する位置に第２の外部磁石１０４ｂが配設されている。
【００６３】
この第２の外部磁石１０４ｂは、上述した第２の内部磁石１０４ａと磁気的に連結されている。このため、操作リング１２２を回転させると、第２の外部磁石１０４ｂと第２の内部磁石１０４ａとの間の磁気的連結力によって、移動部材８４も回転する。そうすると、この回転により移動部材８４の遮光部１０６が光スイッチ８２の発光部８２ａと受光部８２ｂの間に入り込む位置と、発光部８２ａと受光部８２ｂとの間から外れる位置との間の所定の範囲内を移動する。したがって、発光部８２ａの光が遮断され、光スイッチ８２が切り替えられる。
【００６４】
なお、詳細は省略するが、凹凸による嵌合やスプリングプランジャーなどを用いて、光スイッチ８２の検出結果が切り替わる位置で、クリック感が得られるようにしても良い。
【００６５】
光スイッチ８２は、光スイッチ用ハーネス９４、ハーメチックコネクタ６６の接点ピン６６ａ、カメラケーブル３４を通してビデオプロセッサ１８に電気的に接続されている。このため、光スイッチ８２は、割り付けられた内視鏡像の明るさを調整する、内視鏡像をフリーズする、などの各種機能を光スイッチ８２の検出結果に応じて切り替える（リモートコントロールする）ことが可能である。
【００６６】
次に、上述した内視鏡装置１０の作用について説明する。なお、ここでは、図２に示す光スイッチ８２には、内視鏡像の明るさを向上させる（調整する）機能が割り付けられているものであるとして説明する。
【００６７】
図１に示すように、内視鏡撮像装置１４を内視鏡検査に使用するため、内視鏡１２の接眼部２６をスコープマウント４２に着脱自在に取り付ける。そうすると、内視鏡１２の内視鏡像は、内視鏡撮像装置１４の内部では、図２に示すカバーガラス６４、光学系７４を通して固体撮像素子７８に伝達される。この固体撮像素子７８は、内視鏡像を光電変換して電気信号を生成する。この電気信号は、フレキシブル基板８０、ハーメチックコネクタ６６、カメラケーブル３４、図１に示すプラグ３４ａおよびレセプタクル１８ａを介してビデオプロセッサ１８に伝送される。ビデオプロセッサ１８は電気信号を映像信号に変換し、内視鏡像をモニタ２０上に表示する。
【００６８】
フォーカス操作部５０のフォーカスリング１１２を外装４４に対して回転させる。フォーカスリング１１２と移動部１１４とは、図示しないカム機構によって連結されているので、フォーカスリング１１２の回転に伴って移動部１１４が気密ユニット本体６２の軸方向に沿って前後動する。このため、移動部１１４の凹部１１４ａに配設された第１の外部磁石９０ｂと磁気的に連結された第１の内部磁石９０ａが第１の外部磁石９０ｂの移動に伴って移動する。したがって、気密ユニット本体６２の内部で摺動可能なレンズ枠７２が気密ユニット本体６２の軸方向に沿って前後動する。すなわち、光学系７４が気密ユニット本体６２に対して前後動する。
【００６９】
すなわち、フォーカス操作部５０のフォーカスリング１１２を外装４４に対して回転させると、光学系７４が気密ユニット本体６２の軸方向に沿って前後動するので、光学系７４の焦点が所望の状態に調整される。
【００７０】
ここで、モニタ２０上の内視鏡像を明るくする場合を例にとって光スイッチ８２の作用について説明する。
【００７１】
図２および図３（Ａ）に示すように、通常は光スイッチ８２の発光部８２ａから発せられた光は受光部８２ｂで受光されている。ここで、図３（Ｂ）に示すように、外装４４に対してスイッチ操作部５２の操作リング１２２を回転させる。このため、操作リング１２２の凹部１２２ｄに配設された第２の外部磁石１０４ｂと磁気的に連結された第２の内部磁石１０４ａが第２の外部磁石１０４ｂの移動に伴って回転する。この第２の内部磁石１０４ａは、移動部材８４の移動部材本体１０２の凹部１０２ａに設けられているので、この移動部材本体１０２も回転する。そうすると、移動部材本体１０２に設けられた遮光部１０６が回転する。
【００７２】
このため、操作リング１２２が外装４４に対して所定の位置に配置されたときに、遮光部１０６が光スイッチ８２の発光部８２ａと受光部８２ｂとの間に入り込む。このため、発光部８２ａから受光部８２ｂに向かう光が遮断される。そうすると、受光部８２ｂから光が遮光されたことを示す信号が出力される。すなわち、光スイッチ８２の切替信号が出力される。この信号は、光スイッチ用ハーネス９４、接点ピン６６ａおよびカメラケーブル３４を通してビデオプロセッサ１８に伝送される。このため、ビデオプロセッサ１８は、固体撮像素子７８から、フレキシブル基板８０、接点ピン６６ａおよびカメラケーブル３４を通して伝送された信号を映像信号に逐一変化させるとともに、光スイッチ８２からの信号に基づいてモニタ２０に表示される像の明るさを変化させる。
【００７３】
スイッチ操作部５２を外装４４に対して回転させて、光スイッチ８２の発光部８２ａと受光部８２ｂとの間に配置された遮光部１０６を移動させて再び遮断する。すなわち、さらにもう一度同様な操作を行なう。すると、上述した作用により、モニタ２０上の内視鏡像の明るさがさらに一段階アップする。
【００７４】
なお、操作リング１２２の上述した図示しない回転角度規制手段を除去して、光スイッチ８２の光を左右のどちらかから遮断するかを検知して明るさをアップさせたりダウンさせたりしても良い。また、このような設定は、例えばビデオプロセッサ１８を設定することによって適宜に変化させることができる。
【００７５】
また、この実施の形態では、スイッチ操作部５２が内視鏡撮像装置１４に一体化されているとして説明したが、内視鏡撮像装置１４とは別物品であるリモートスイッチや、超音波処置などに使用する外科用のハンドピースなどにも同様の構造を適用しても良い。
【００７６】
すなわち、ここでは、内視鏡像の明るさを切り替えるためにスイッチ操作部５２を設けたことについて説明したが、このスイッチ操作部５２は、例えばハンドピースに超音波振動を供給するかどうかを切り替えたりすることに対しても使用することができる。
【００７７】
このような内視鏡装置１０は、使用後に各種装置に分解される。ここでは、内視鏡装置１０は、内視鏡１２と、内視鏡撮像装置１４と、光源装置１６と、ビデオプロセッサ１８と、モニタ２０とに分解される。すなわち、内視鏡１２の接眼部２６は、内視鏡撮像装置１４のスコープマウント４２から取り外される。
【００７８】
そして、内視鏡１２および内視鏡撮像装置１４は、例えばオートクレーブ滅菌などの処理がなされて再利用に供される。
【００７９】
この場合、内視鏡撮像装置１４の電子的な部品である光学系７４や固体撮像素子７８等は、内部が気密状態に保持された気密ユニット４６の内部に全て配設されている。このため、オートクレーブ滅菌を行なっても、内視鏡撮像装置１４の気密ユニット４６の内部に蒸気が浸入することが防止されている。
【００８０】
したがって、オートクレーブ滅菌を行なったときに、部品の劣化や腐食を生じることを防止することができる。このため、部品の寿命を長くすることができる。
【００８１】
以上説明したように、この実施の形態によれば、以下のことがいえる。
【００８２】
例えば光スイッチ８２など、電子部品を気密ユニット４６の内部に配設した。このため、オートクレーブ滅菌の際に光スイッチ８２など、電子部品の劣化を引き起こすことを防止することができる。したがって、内視鏡撮像装置１４の寿命を延長することができる。
【００８３】
ところで、外装４４の内部に蒸気が浸入しても、その蒸気にさらされるのはフォーカスリング１１２、移動部１１４、操作リング１２２、第１および第２の外部磁石９０ｂ，１０４ｂ等であり、これらの部品は上記にさらされても劣化しない。
【００８４】
なお、内視鏡装置１０は、特に図示しないが、内視鏡１２および内視鏡撮像装置１４の代わりに、細長の挿入部の先端部に固体撮像素子を設けた電子内視鏡として構成しても良い。
【００８５】
また、外装４４に対してフォーカス操作部５０およびスイッチ操作部５２を回転させるだけで光学系７４の焦点調整や、内視鏡像の明るさ調整を行なうことができるので、これらの操作を容易に行なうことができる。
【００８６】
なお、この実施の形態では、光スイッチ８２の光を遮断するときにスイッチが切り替えられることについて説明したが、光が遮断された状態を通常の状態として、発光部８２ａからの光を受光部８２ｂで受光したときにスイッチが切り替えられることも好適である。
【００８７】
また、光スイッチ８２は図４に示すように、２つ設けられていても良い。この場合、例えば、遮光部１０６が２つの光スイッチ８２のうちの一方の発光部８２ａからの光を遮ったときに切り替えられる。そうすると、例えば、２つの光スイッチ８２間を遮光部１０６を移動させ、それぞれの光スイッチ８２の光を遮断することによってスイッチを切り替えることができる。また、例えば一方の光スイッチ８２を作動させることによって内視鏡像を明るくし、他方の光スイッチ８２を作動させることによって内視鏡像を暗くしても良い。
【００８８】
次に、第２の実施の形態について図５を用いて説明する。この実施の形態は、第１の実施の形態の変形例であって、第１の実施の形態で説明した部材と同一の部材には同一の符号を付し、詳しい説明を省略する。
【００８９】
図５に示すように、移動部材８４は気密ユニット本体６２から除去されている。第２の内部磁石１０４ａおよび第２の外部磁石１０４ｂは、それぞれ１つのみ配設されている。そして、第２の内部磁石１０４ａと遮光部（スイッチ切替手段）１０６とが一体的に形成されて気密ユニット本体６２内部に配設されている。つまり、第２の内部磁石１０４ａは、第２の外部磁石１０４ｂとの磁気的連結力で保持されている。
【００９０】
この実施の形態に係る内視鏡装置１０の作用について説明する。
【００９１】
フォーカスリング１１２の作用は第１の実施の形態と同様であるので説明を省略する。以下の実施の形態でも同様である。
【００９２】
スイッチ操作部５２の操作リング１２２を外装４４に対して回転させる。このため、操作リング１２２の凹部１２２ｄに配設された第２の外部磁石１０４ｂと磁気的に連結された第２の内部磁石１０４ａが第２の外部磁石１０４ｂの移動に伴って回転する。したがって、移動部材本体１０２に一体的に設けられた遮光部１０６が回転する。
【００９３】
操作リング１２２が外装４４に対して所定の位置に配置されたときに、遮光部１０６が光スイッチ８２の発光部８２ａと受光部８２ｂとの間に入り込む。このため、発光部８２ａから受光部８２ｂに向かう光が遮断される。そうすると、受光部８２ｂから光が遮光されたことを示す信号が出力される。
【００９４】
このような出力によって、光スイッチ８２が切り替えられる。そうすると、ビデオプロセッサ１８によって、モニタ２０に表示される内視鏡像の明るさが変化される。
【００９５】
なお、図４に示すように、光スイッチ８２を２つ設けて、その光が左右どちらかから遮断されるかによって、明るさをアップさせたりダウンさせたりすることも好適である。
【００９６】
この実施の形態によれば、以下のことがいえる。第１の実施の形態で説明した事項と同様の事項については説明を省略する。
【００９７】
第１の実施の形態で説明した移動部材８４が不要なため、構造を簡素にすることができるとともに、原価を低減させることができる。
【００９８】
次に、第３の実施の形態について図６を用いて説明する。この実施の形態は、第１の実施の形態の変形例であって、第１の実施の形態で説明した部材と同一の部材には同一の符号を付し、詳しい説明を省略する。
【００９９】
図６（Ａ）および図６（Ｂ）に示すように、外装４４には、スイッチ操作部５２の操作リング１２２の代わりに、スライドスイッチ１３２が配設されている。
【０１００】
外装４４には、第１の実施の形態で説明した第２の円周孔４５ｂの代わりに、外装４４の軸方向に沿って長円状のスライド孔１３４が形成されている。このスライド孔１３４には、スライドスイッチ１３２が配設されている。
【０１０１】
このスライドスイッチ１３２は、断面が略Ｔ字状に形成されている。すなわち、このスライドスイッチ１３２は、軸部１３２ａと、この軸部１３２ａの外側の端部に対して外装４４の軸方向に沿って突出されたフランジ部１３２ｂとを備えている。
【０１０２】
フランジ部１３２ｂは、スライドスイッチ１３２が外装４４に沿って移動してもスライド孔１３４を覆う大きさに形成されている。このフランジ部１３２ｂには、外装４４の外周面に近接する側にスライド孔１３４を覆う大きさの凹部１３２ｃが形成されている。この凹部１３２ｃには、第２の弾性部材１２４がそれぞれ配設されている。このため、第２の弾性部材１２４によって、スライドスイッチ１３２と外装４４との間の防水性が確保されている。
【０１０３】
このスライドスイッチ１３２の内側の端部には、第２の外部磁石１０４ｂが配設された凹部１３２ｄが形成されている。
【０１０４】
光スイッチ８２の発光部８２ａと受光部８２ｂとは、外装４４の周方向に沿って対向する位置に配設されている。これら発光部８２ａと受光部８２ｂとの間には、移動部材本体１０２を移動させて遮光部１０６を配置可能である。
【０１０５】
なお、第２の実施の形態と同様に、第２の内部磁石１０４ａが遮光部１０６を兼ねるように形成されていることも好適である。
【０１０６】
この実施の形態に係る内視鏡装置１０の作用について説明する。
【０１０７】
図６（Ａ）に示す状態から、スライドスイッチ１３２を外装４４の軸方向に沿って基端部側に移動させる。すると、第２の外部磁石１０４ｂと第２の内部磁石１０４ａとの間の磁気的連結力によって、移動部材８４も追従して軸方向に沿って基端部側に移動する。
【０１０８】
このため、図６（Ｂ）に示すように、移動部材８４の遮光部１０６が光スイッチ８２の発光部８２ａと受光部８２ｂとの間に入り込む。したがって、発光部８２ａからの光が遮光部１０６によって遮断される。そうすると、受光部８２ｂから光が遮光されたことを示す信号が出力される。したがって、光スイッチ８２が切り替えられる。
【０１０９】
次に、第４の実施の形態について図７および図８を用いて説明する。この実施の形態は、第１の実施の形態の変形例であって、第１の実施の形態で説明した部材と同一の部材には同一の符号を付し、詳しい説明を省略する。
【０１１０】
図７に示すように、外装４４には、スイッチ操作部５２の操作リング１２２の代わりに、ツマミ（回転部材）１４２が配設されている。
【０１１１】
図８（Ａ）および図８（Ｂ）に示すように、外装４４には、第１の実施の形態で説明した第２の円周孔４５ｂの代わりに、外装４４の内側と外側とを貫通する円形状の貫通孔１４４が形成されている。この貫通孔１４４には、ツマミ１４２が配設されている。
【０１１２】
このツマミ１４２は、断面が略Ｔ字状に形成されている。すなわち、このツマミ１４２は、軸部１４２ａと、この軸部１４２ａの外側の端部に対して径方向外方に突出されたツマミ部１４２ｂとを備えている。このため、このツマミ１４２は、外装４４の貫通孔１４４に対して回転可能に配設されている。
【０１１３】
このツマミ１４２の内側の端部には、第２の外部磁石１０４ｂが配設された凹部１４２ｃが形成されている。この凹部１４２ｃは、軸部１４２ａに対して偏心した位置に形成されている。このため、第２の外部磁石１０４ｂは、ツマミ１４２の偏心した位置に配設されている。
【０１１４】
移動部材８４の移動部材本体１０２の外周面には、凹部１０２ａが形成されている。この凹部１０２ａは、偏心した位置に形成されている。この凹部１０２ａには、第２の内部磁石１０４ａが配設されている。この第２の内部磁石１０４ａは、第２の外部磁石１０４ｂと磁気的に連結されている。
【０１１５】
なお、第２の実施の形態と同様に、第２の内部磁石１０４ａが遮光部１０６を兼ねても良い。
【０１１６】
この実施の形態に係る内視鏡装置１０の作用について説明する。
【０１１７】
ツマミ１４２を外装４４に対して回転させると、第２の外部磁石１０４ｂと第２の内部磁石１０４ａとの間の磁気的連結力によって、移動部材８４も回転する。この回転により移動部材８４の遮光部１０６が光スイッチ８２の発光部８２ａと受光部８２ｂとの間に入り込む。このため、発光部８２ａの光が遮断される。そうすると、受光部８２ｂから光が遮光されたことを示す信号が出力される。したがって、光スイッチ８２が切り替えられる。
【０１１８】
次に、第５の実施の形態について図９を用いて説明する。この実施の形態は、第１の実施の形態の変形例であって、第１の実施の形態で説明した部材と同一の部材には同一の符号を付し、詳しい説明を省略する。
【０１１９】
図９（Ａ）に示すように、光スイッチ８２は、反射型フォトインタラプタとして構成されている。この実施の形態に係る光スイッチ８２は、発光部８２ｃと受光部８２ｄとを備えている。発光部８２ｃと受光部８２ｄとは例えば同一平面内に配置されている。発光部８２ｃは、所定の角度に光を発光する。このため、図９（Ａ）に示すように、通常は発光部８２ｃから発せられた光が移動部材８４の内周面により反射され、反射された光が受光部８２ｄで受光されている。
【０１２０】
移動部材８４の内周面には、径方向内方に突出した凸部（スイッチ切替手段）１０６ａが形成されている。図９（Ｂ）に示すように、この凸部１０６ａが光スイッチ８２と対向した場合、凸部１０６ａは、発光部８２ｃから発せられた光が凸部１０６ａで反射されて光路が変更されるので、受光部８２ｄで受光されない位置関係にある。
【０１２１】
この実施の形態に係る内視鏡装置１０の作用について説明する。
【０１２２】
操作リング１２２を外装４４に対して回転させると、第２の外部磁石１０４ｂと第２の内部磁石１０４ａとの間の磁気的連結力によって、移動部材８４も回転する。この回転により移動部材８４の凸部１０６ａが光スイッチ８２と対向する位置に移動すると、発光部８２ｃから発せられた光が凸部１０６ａで反射する。このため、発光部８２ｃから発せられた光の光路が偏向される。そうすると、受光部８２ｄでは発光部８２ｃの光が受光されない。すなわち、発光部８２ｃからの光が遮断された状態となる。そうすると、受光部８２ｄから光が遮光されたことを示す信号が出力される。したがって、光スイッチ８２が切り替えられる。
【０１２３】
なお、この実施の形態では通常は発光部８２ｃからの光が反射されて受光部８２ｄで受光されるようにしているが、逆に、通常は受光部８２ｄでは受光されておらず、光スイッチ８２が凸部１０６ａと対向した場合のみ受光できるような位置関係にしても良い。
【０１２４】
また、この実施の形態では、光の光路を偏向するのに凸部１０６ａとして説明したが、この凸部１０６ａの代わりに凹部としても良い。
【０１２５】
次に、第６の実施の形態について図１０を用いて説明する。この実施の形態は、第５の実施の形態の変形例であって、第５の実施の形態で説明した部材と同一の部材には同一の符号を付し、詳しい説明を省略する。
【０１２６】
図１０（Ａ）および図１０（Ｂ）に示すように、移動部材８４の移動部材本体１０２の内周面には、発光部８２ｃからの光を反射する反射部（スイッチ切替手段）１５２ａと、発光部８２ｃからの光を反射しない非反射部（スイッチ切替手段）１５２ｂとが形成されている。
【０１２７】
反射部１５２ａは、例えば鏡面状に仕上げられており、光を反射する。一方、非反射部１５２ｂは、例えば黒い表面処理が施されて光の反射が防止される。通常は発光部８２ｃから発せられた光が反射部１５２ａで反射され、反射された光を受光部８２ｄで受光する。
【０１２８】
図１０（Ｂ）に示すように、非反射部１５２ｂが光スイッチ８２と対向した場合には、発光部８２ｃから発せられた光は非反射部１５２ｂにより反射されず、受光部８２ｄで受光されない。
【０１２９】
この実施の形態に係る内視鏡装置１０の作用について説明する。
【０１３０】
操作リング１２２を外装４４に対して回転させると、第２の外部磁石１０４ｂと第２の内部磁石１０４ａとの間の磁気的連結力によって、移動部材８４も回転する。この回転により移動部材８４の非反射部１５２ｂが光スイッチ８２と対向する位置に移動すると、発光部８２ｃから発せられた光は非反射部１５２ｂにより反射されることはない。このため、受光部８２ｄでは発光部８２ｃの光が受光されない。すなわち、発光部８２ｃからの光が遮断された状態となる。そうすると、受光部８２ｄから光が遮光されたことを示す信号が出力される。したがって、光スイッチ８２が切り替えられる。
【０１３１】
なお、この実施の形態では通常は発光部８２ｃからの光が反射されて受光部８２ｄで受光できるようにしているが、逆に、通常は受光部８２ｄでは受光されておらず、光スイッチ８２が反射部１５２ａと対向した場合のみ受光できるような位置関係にしても良い。
【０１３２】
次に、第７の実施の形態について図１１を用いて説明する。この実施の形態は、第４および第５の実施の形態の変形例であって、第４および第５の実施の形態で説明した部材と同一の部材には同一の符号を付し、詳しい説明を省略する。
【０１３３】
図１１（Ａ）および図１１（Ｂ）に示すように、操作リング１２２の代わりにツマミ１４２が設けられている。このため、移動部材８４は、ツマミ１４２の中心軸を中心として回転する。移動部材８４は、光を反射する凸部１０６ａを備えている。
【０１３４】
この実施の形態に係る内視鏡装置１０の作用について説明する。
【０１３５】
ツマミ１４２を回転させると、第２の外部磁石１０４ｂと第２の内部磁石１０４ａとの磁気的連結力によって、移動部材８４も回転する。この回転により移動部材８４の凸部１０６ａが光スイッチ８２と対向する位置に移動し、発光部８２ｃから発せられた光が凸部１０６ａで反射する。このため、発光部８２ｃから発せられた光の光路が偏向される。このため、受光部８２ｄでは発光部８２ｃの光が受光されることはない。すなわち、発光部８２ｃからの光が遮断された状態となる。そうすると、受光部８２ｄから光が遮光されたことを示す信号が出力される。したがって、光スイッチ８２が切り替えられる。
【０１３６】
次に、第８の実施の形態について図１２を用いて説明する。この実施の形態は、第４、第６および第７の実施の形態の変形例であって、これらの実施の形態で説明した部材と同一の部材には同一の符号を付し、詳しい説明を省略する。
【０１３７】
図１２（Ａ）および図１２（Ｂ）に示すように、操作リング１２２の代わりにツマミ１４２が設けられている。このため、移動部材８４は、ツマミ１４２の中心軸を中心として回転する。第６の実施の形態と同様に、移動部材８４は、例えば鏡面に仕上げられて光を反射するようにしてある反射部１５２ａと、例えば黒い表面処理を施して光を反射しないようにしてある非反射部１５２ｂとを内周面に備えている。
【０１３８】
この実施の形態に係る内視鏡装置１０の作用について説明する。
【０１３９】
ツマミ１４２を回転させると、第２の外部磁石１０４ｂと第２の内部磁石１０４ａとの間の磁気的連結力によって、移動部材８４も回転する。この回転により移動部材８４の非反射部１５２ｂが光スイッチ８２と対向する位置に移動すると、発光部８２ｃから発せられた光は非反射部１５２ｂで反射されることがない。このとき、受光部８２ｄでは発光部８２ｃの光が受光されない。すなわち、発光部８２ｃからの光が遮断された状態となる。そうすると、受光部８２ｄから光が遮光されたことを示す信号が出力される。したがって、光スイッチ８２が切り替えられる。
【０１４０】
なお、図示しないが、第３の実施の形態と同様に、本実施の形態にスライドスイッチ１３２を適用しても良い。
【０１４１】
次に、第９の実施の形態について図１３および図１４を用いて説明する。この実施の形態は、第１の実施の形態の変形例であって、第１の実施の形態で説明した部材と同一の部材には同一の符号を付し、詳しい説明を省略する。
【０１４２】
図１３および図１４に示すように、光スイッチ８２の代わりにリモートスイッチ（スイッチ手段）として磁気スイッチ１８２を利用してスイッチを切り替える。
【０１４３】
磁気スイッチ１８２は、例えばホール効果スイッチや、リードスイッチなどである。ホール効果スイッチは、シリコンチップ上にホール素子、トリガー回路、トランジスター増幅器を有するものである。リードスイッチは、強磁性体製のリード(振動片)上に接点を取り付けてガラス管に封入し、外部から磁界を加えて作動させるものである。
【０１４４】
この磁気スイッチ１８２には、磁気スイッチ用ハーネス１９４が電気的に接続されている。このため、この磁気スイッチ用ハーネス１９４は、磁気スイッチ１８２の検出信号を出力する。この磁気スイッチ用ハーネス１９４は、ハーメチックコネクタ６６の接点ピン６６ａに接続されている。
【０１４５】
その他、移動部材８４に遮光部１０６や凸部１０６ａが設けられていないだけで、他の構造は第１の実施の形態で説明した構造と同様である。
【０１４６】
なお、詳細は省略するが、凹凸による嵌合やスプリングプランジャーなどを用いて、磁気スイッチ１８２の検出結果が切り替わる位置で、クリック感が得られるようにしても良い。
【０１４７】
また、図１に示すビデオプロセッサ１８は、磁気スイッチ１８２に割り付けられた内視鏡画像の明るさを調整する、内視鏡像をフリーズするなどの各種機能を、磁気スイッチ１８２の検出結果に応じて切り替える（リモートコントロールする）。
【０１４８】
この実施の形態に係る内視鏡装置１０の作用について説明する。なお、ここでは、図２に示す磁気スイッチ１８２には、第１ないし第１２の実施の形態と同様に、内視鏡像の明るさを向上させる（調整する）機能が割り付けられているものとして説明する。
【０１４９】
図１４（Ａ）に示すように、通常は磁気スイッチ１８２は作動しない状態にある。ここで、図１４（Ｂ）に示すように、外装４４に対してスイッチ操作部５２の操作リング１２２を回転させる。このため、操作リング１２２の凹部１２２ｄに配設された第２の外部磁石１０４ｂと磁気的に連結された第２の内部磁石１０４ａが第２の外部磁石１０４ｂの移動に伴って回転する。この第２の内部磁石１０４ａは、移動部材８４の移動部材本体１０２の凹部１０２ａに設けられているので、この移動部材本体１０２も回転する。
【０１５０】
このため、操作リング１２２が外装４４に対して所定の位置に配置され、磁界の変化が所定以上に変化したときに、磁気スイッチ１８２が作動される。そうすると、磁気スイッチ１８２から信号が出力される。この出力信号は、磁気スイッチ用ハーネス１９４、接点ピン６６ａおよびカメラケーブル３４を通してビデオプロセッサ１８に伝送される。このため、ビデオプロセッサ１８は、固体撮像素子７８から、フレキシブル基板８０、接点ピン６６ａおよびカメラケーブル３４を通して伝送された信号を映像信号に逐一変化させるとともに、磁気スイッチ１８２からの信号に基づいてモニタ２０に表示される像の明るさを変化させる。
【０１５１】
スイッチ操作部５２を外装４４に対して回転させて、磁気スイッチ１８２を移動させる。すなわち、さらにもう一度同様な操作を行なう。すると、上述した作用により、モニタ２０上の内視鏡像の明るさがさらに一段階アップする。
【０１５２】
なお、第２の内部磁石１０４ａと磁気スイッチ１８２が近接して、磁気スイッチがＯＮとなっている状態を通常使用状態とし、操作リング１２２を回転させることで第２の内部磁石１０４ａと磁気スイッチ１８２を遠ざけて、スイッチを切り替えるようにしても良い。
【０１５３】
さらに、図１５に示すように、磁気スイッチ１８２は２つ設けられていることも好適である。
【０１５４】
次に、第１０の実施の形態について図１６を用いて説明する。この実施の形態は、第２および第９の実施の形態の変形例であって、第２および第９の実施の形態で説明した部材と同一の部材には同一の符号を付し、詳しい説明を省略する。
【０１５５】
図１６に示すように、移動部材８４は気密ユニット本体６２の内部から除去されている。第２の内部磁石１０４ａおよび第２の外部磁石１０４ｂは、それぞれ１つのみ配設されている。
【０１５６】
この実施の形態に係る内視鏡装置１０の作用について説明する。
【０１５７】
スイッチ操作部５２の操作リング１２２を外装４４に対して回転させる。このため、操作リング１２２の凹部１２２ｄに配設された第２の外部磁石１０４ｂと磁気的に連結された第２の内部磁石１０４ａが第２の外部磁石１０４ｂの移動に伴って回転する。したがって、移動部材本体１０２に一体的に設けられた第２の内部磁石１０４ａが磁気スイッチ１８２に近接する。そうすると、磁気スイッチ１８２は第２の内部磁石１０４ａの磁力の影響を受ける。このため、磁気スイッチ１８２から信号が出力される。
【０１５８】
この場合、移動部材８４が不要なため、構造を簡素にすることができるとともに、原価を低減させることができる。
【０１５９】
次に、第１１の実施の形態について図１７を用いて説明する。この実施の形態は、第９の実施の形態の変形例であって、第９の実施の形態で説明した部材と同一の部材には同一の符号を付し、詳しい説明を省略する。
【０１６０】
図１７に示すように、移動部材８４および第２の内部磁石１０４ａを気密ユニット本体６２の内部から除去し、第２の外部磁石１０４ｂの磁力を利用して磁気スイッチ１８２を切り替える。
【０１６１】
この実施の形態に係る内視鏡装置１０の作用について説明する。
【０１６２】
操作リング１２２を回転させると、第２の外部磁石１０４ｂも回転する。このため、第２の外部磁石１０４ｂと磁気スイッチ１８２とが接近する。そうすると、磁気スイッチ１８２は第２の外部磁石１０４ｂの磁力の影響を受ける。このため、磁気スイッチ１８２から信号が出力される。
【０１６３】
この場合、移動部材８４および第２の内部磁石１０４ａが不要なため、構造を簡素にすることができるとともに、原価を低減させることができる。
【０１６４】
次に、第１２の実施の形態について図１８を用いて説明する。この実施の形態は、第３および第９の実施の形態の変形例であって、第３および第９の実施の形態で説明した部材と同一の部材には同一の符号を付し、詳しい説明を省略する。
【０１６５】
図１８（Ａ）および図１８（Ｂ）に示すように、外装４４には、スイッチ操作部５２の操作リング１２２の代わりに、スライドスイッチ１３２が配設されている。
【０１６６】
外装４４には、第１の実施の形態で説明した第２の円周孔４５ｂの代わりに、外装４４の軸方向に沿って長円状のスライド孔１３４が形成されている。このスライド孔１３４には、スライドスイッチ１３２が配設されている。
【０１６７】
この実施の形態に係る内視鏡装置１０の作用について説明する。
【０１６８】
図１８（Ａ）に示す状態から、スライドスイッチ１３２を外装４４の軸方向に沿って基端部側に移動させる。すると、第２の外部磁石１０４ｂも移動する。このため、第２の外部磁石１０４ｂに伴って移動する第２の内部磁石１０４ａと磁気スイッチ１８２とが接近する。そうすると、磁気スイッチ１８２は第２の内部磁石１０４ａの磁力の影響を受ける。このため、磁気スイッチ１８２から信号が出力される。
【０１６９】
次に、第１３の実施の形態について図１９を用いて説明する。この実施の形態は、第４および第９の実施の形態の変形例であって、第４および第９の実施の形態で説明した部材と同一の部材には同一の符号を付し、詳しい説明を省略する。
【０１７０】
第４の実施の形態で説明したように、外装４４には、外装４４の内側と外側とを貫通する円形状の貫通孔１４４が形成されている。この貫通孔１４４には、ツマミ１４２が配設されている。磁気スイッチ１８２および遮光部１０６以外は、第４の実施の形態と同様である。
【０１７１】
この実施の形態に係る内視鏡装置１０の作用について説明する。
【０１７２】
ツマミ１４２を回転させると、第２の外部磁石１０４ｂと第２の内部磁石１０４ａとの間の磁気的連結力によって、移動部材８４も回転する。この回転により、第２の内部磁石１０４ａと磁気スイッチ１８２とが近接する。そうすると、磁気スイッチ１８２は第２の内部磁石１０４ａの磁力の影響を受ける。このため、磁気スイッチ１８２から信号が出力される。
【０１７３】
これまで、いくつかの実施の形態について図面を参照しながら具体的に説明したが、この発明は、上述した実施の形態に限定されるものではなく、その要旨を逸脱しない範囲で行なわれるすべての実施を含む。
【０１７４】
上記説明によれば、下記の事項の発明が得られる。また、各項の組み合わせも可能である。
【０１７５】
［付記］
（付記項１）
所定機能の操作が可能なスイッチ手段と、
前記スイッチ手段を気密に収納可能な気密ユニットと、
前記気密ユニットの外部に設けられ、操作者が操作可能で、回動またはスライド自在な操作部材と、
前記操作部材に応じて、磁力を前記気密ユニットの外部から内部へ伝達可能な磁力伝達手段と
からなる医療操作機構において、
前記磁力伝達手段の磁力を利用してスイッチ手段のＯＮ／ＯＦＦが切り替えられることを特徴とする医療用操作機構。
【図面の簡単な説明】
【０１７６】
【図１】本発明の第１の実施の形態に係る内視鏡装置を示す概略図。
【図２】第１の実施の形態に係る内視鏡装置の内視鏡撮像装置の内部構造を示す概略的な縦断面図。
【図３】第１の実施の形態に係る内視鏡装置における内視鏡撮像装置の図２中に示すα−α線に沿う断面図を示し、（Ａ）は光スイッチの発光部からの光を受光部で受光する状態を示す概略図、（Ｂ）は光スイッチの発光部からの光を遮断する状態を示す概略図。
【図４】第１の実施の形態に係る内視鏡装置における内視鏡撮像装置の変形例を示し、図２中に示すα−α線に沿う断面図。
【図５】本発明の第２の実施の形態に係る内視鏡装置の内視鏡撮像装置の図２中に示すα−α線に沿う断面図。
【図６】本発明の第３の実施の形態に係る内視鏡装置の内視鏡撮像装置のスイッチ操作部近傍を示し、（Ａ）は光スイッチの発光部からの光を受光部で受光する状態を示す概略的な断面図、（Ｂ）は光スイッチの発光部からの光を遮断する状態を示す概略図。
【図７】本発明の第４の実施の形態に係る内視鏡装置の内視鏡撮像装置の概略的な斜視図。
【図８】第４の実施の形態に係る内視鏡装置の内視鏡撮像装置のスイッチ操作部近傍を示し、（Ａ）は光スイッチの発光部からの光を遮断する状態を示す概略的な断面図、（Ｂ）は光スイッチの発光部からの光を受光部で受光する状態を示す概略図。
【図９】本発明の第５の実施の形態に係る内視鏡装置における内視鏡撮像装置の図２中に示すα−α線に沿う断面図の一部を示し、（Ａ）は光スイッチの発光部からの光を受光部で受光する状態を示す概略図、（Ｂ）は光スイッチの発光部からの光を受光しない状態を示す概略図。
【図１０】本発明の第６の実施の形態に係る内視鏡装置における内視鏡撮像装置の図２中に示すα−α線に沿う断面図の一部を示し、（Ａ）は光スイッチの発光部からの光を受光部で受光する状態を示す概略図、（Ｂ）は光スイッチの発光部からの光を遮断する状態を示す概略図。
【図１１】本発明の第７の実施の形態に係る内視鏡装置の内視鏡撮像装置のスイッチ操作部近傍を示し、（Ａ）は光スイッチの発光部からの光を受光する状態を示す概略的な断面図、（Ｂ）は光スイッチの発光部からの光を受光しない状態を示す概略図。
【図１２】本発明の第８の実施の形態に係る内視鏡装置の内視鏡撮像装置のスイッチ操作部近傍を示し、（Ａ）は光スイッチの発光部からの光を受光する状態を示す概略的な断面図、（Ｂ）は光スイッチの発光部からの光を遮断する状態を示す概略図。
【図１３】本発明の第９の実施の形態に係る内視鏡装置の内視鏡撮像装置の内部構造を示す概略的な縦断面図。
【図１４】第９の実施の形態に係る内視鏡装置における内視鏡撮像装置の図１３中に示すβ−β線に沿う断面図を示し、（Ａ）は第２の内部磁石が磁気スイッチに磁気的な影響を与えない離れた状態を示す概略図、（Ｂ）は第２の内部磁石が磁気スイッチに磁気的な影響を与える状態を示す概略図。
【図１５】第９の実施の形態に係る内視鏡装置における内視鏡撮像装置の変形例を示し、図１３中に示すβ−β線に沿う断面図。
【図１６】本発明の第１０の実施の形態に係る内視鏡装置における内視鏡撮像装置を示し、図１３中に示すβ−β線に沿う断面図。
【図１７】本発明の第１１の実施の形態に係る内視鏡装置における内視鏡撮像装置を示し、図１３中に示すβ−β線に沿う断面図。
【図１８】本発明の第１２の実施の形態に係る内視鏡装置の内視鏡撮像装置のスイッチ操作部近傍を示し、（Ａ）は第２の内部磁石が磁気スイッチに磁気的な影響を与えない離れた状態を示す概略的な断面図、（Ｂ）は第２の内部磁石が磁気スイッチに磁気的な影響を与える状態を示す概略的な断面図。
【図１９】本発明の第１３の実施の形態に係る内視鏡装置の内視鏡撮像装置のスイッチ操作部近傍を示し、（Ａ）は第２の内部磁石が磁気スイッチに磁気的な影響を与えない離れた状態を示す概略的な断面図、（Ｂ）は第２の内部磁石が磁気スイッチに磁気的な影響を与える状態を示す概略的な断面図。
【符号の説明】
【０１７７】
１４…内視鏡撮像装置、３４…カメラケーブル、４２…スコープマウント、４２ａ…雌ネジ部、４４…外装、４４ａ…雄ネジ部、４５ａ…第１の円周孔、４５ｂ…第２の円周孔、４６…気密ユニット、４８…光学部、５０…フォーカス操作部、５２…スイッチ操作部、６２…気密ユニット本体、６２ａ…段差、６４…カバーガラス、６６…ハーメチックコネクタ、６６ａ…接続ピン、７２…レンズ枠、７２ａ…凹部、７４…光学系、７６…固体撮像素子枠、７８…固体撮像素子、８０…フレキシブル基板、８２…光スイッチ、８２ａ…発光部、８２ｂ…受光部、８４…移動部材、９０ａ…第１の内部磁石、９０ｂ…第１の外部磁石、９２ａ…第１のフランジ部、９２ｂ…第２のフランジ部、９４…光スイッチ用ハーネス、１０２…移動部材本体、１０２ａ…凹部、１０４ａ…第２の内部磁石、１０４ｂ…第２の外部磁石、１０６…遮光部、１１２…フォーカスリング、１１２ａ…リング部、１１２ｂ…フランジ部、１１２ｃ…凹部、１１４…移動部、１１４ａ…凹部、１１６…第１の弾性部材、１２２…操作リング、１２２ａ…リング部、１２２ｂ…フランジ部、１２２ｃ…凹部、１２２ｄ…凹部、１２４…第２の弾性部材
【図１】
2006320481.tif 000003
【図２】
2006320481.tif 000004
【図３】
2006320481.tif 000005
【図４】
2006320481.tif 000006
【図５】
2006320481.tif 000007
【図６】
2006320481.tif 000008
【図７】
2006320481.tif 000009
【図８】
2006320481.tif 000010
【図９】
2006320481.tif 000011
【図１０】
2006320481.tif 000012
【図１１】
2006320481.tif 000013
【図１２】
2006320481.tif 000014
【図１３】
2006320481.tif 000015
【図１４】
2006320481.tif 000016
【図１５】
2006320481.tif 000017
【図１６】
2006320481.tif 000018
【図１７】
2006320481.tif 000019
【図１８】
2006320481.tif 000020
【図１９】
2006320481.tif 000021